(57)【特許請求の範囲】
【請求項１】
入り口側幅方向一側端面を開口部とする直方体形状の収容ケースと、この収容ケース内にその底面板との間に少間隙を配し長方形状の板体部が案内レールに摺動可能に係合して出入自在に配設され，板体部の後方側幅方向に沿った一側端面に前記収容ケース内に収納されたときにその幅方向一側端面の開口部を閉塞する側面板を有し，その側面板と反対側先方の板体部の幅方向に沿った他側端面と長さ方向に沿った両側面部を開放面となして板体部の上面を床面と通ずるネズミの自由通路となしたＬ字型形状のスライドベースとを具備しており、収容ケースとスライドベースとの間に、一端部を収容ケース側に他端部をスライドベース側に固定して弾性力によりスライドベースを収容ケース内に収納せしめるスプリング装置を配設する一方，ピン結合した一対のリンクの各自由端部を一方は収容ケース側に他方はスライドベース側に枢着しスライドベースの外部への引き出し時に一直線状に水平方向に伸長してスプリング装置の弾性力によるスライドベースの収容ケース内への収納動作を阻止するトグル装置を配設せしめ、且つ，スライドベースの板体部に形成した長方形状の開孔部下面の位置で板体部の裏側に先端部寄りに回動支点を有する梃子片からなるトグル装置の解除機構を回動可能に配設して，梃子片の回動時にその先端部側に取り付けた前記トグル装置における他方のリンクの枢着部を押し上げ一対のリンクの一直線状伸長姿勢を崩しトグル装置を解除せしめるようになしたことを特徴とするオープンスライド式ネズミ捕り器。
【請求項２】
スライドベースの板体部の収容ケース側先端部寄り上面に，幅方向に沿って収容ケース内方向への視界を遮る遮蔽板を配設したことを特徴とする請求項１記載のオープンスライド式ネズミ捕り器。
【請求項３】
収容ケースの入り口側開口部の両側縁部に，スライドベースの収容ケース内への収納時にスライドベースの板体部に形成した側面板の両側縁部との間に生ずるおそれのある隙間を閉塞するとともに，先端縁を鋸刃状に先鋭となして捕獲収容されたネズミの脱出を防止する脱出防止片を配設したことを特徴とする請求項１又は２記載のオープンスライド式ネズミ捕り器。
【請求項４】
収容ケースの上側部に上蓋を着脱又は開閉可能に取り付けたことを特徴とする請求項１，２又は３記載のオープンスライド式ネズミ捕り器。
【発明の詳細な説明】
【技術分野】
【０００１】
本発明は、ネズミを捕獲するネズミ捕り器に関し、とりわけネズミの警戒心を和らげ学習能力の働きを可及的に抑えるようにネズミの通路となる餌の配置場所と器具の動作構造に工夫をなすことによって，簡潔な構造で捕獲効率を高めるとともに取り扱いが容易で使用上好適であるオープンスライド式ネズミ捕り器に係るものである。
【背景技術】
【０００２】
従来のネズミ捕り器としては、例えば，下記の特許文献1と特許文献2に記載したものがある。
【特許文献１】特開２００１−３４６４９８号公報
【特許文献２】第３００７４８２号登録実用新案公報
【０００３】
特許文献１記載のものは、ベース板上に有底筒型の収容ケースを，その中間部を揺動可能に支持して配設し、ネズミの捕獲前にはケースの重量バランスにより，その開口端入り口側を支持部に対して低く底側を高くした傾斜状態に保持してケース内の底側寄り奥の方に餌を置いてネズミを誘引し、ネズミがケースの奥の方に侵入するとその重量によりケースが支持部を支点として回動して支持部に対し入り口側が高く底側が低くなる逆傾斜状態となって入り口側がベース板に設けた蓋板により閉塞されてネズミが捕獲され、そのケースの逆傾斜状態はロック手段により保持されるという構造となっている。
【０００４】
しかしこの場合には、一側端部が閉塞された収容ケース内に餌を配置してネズミの侵入通路となし，しかもそのケースが通常の通路の状態と異なる床面より傾斜状に配設されているとともに開口端入り口を閉塞する扉がその直ぐ近傍に付設されているものであるから、ネズミが学習体験により罠が仕掛けられているのではとの危険性を感知し易く、ネズミの警戒心を解くことが困難となり、いきおいネズミの捕獲率が伸びないという難点を有していた。
【０００５】
一方，特許文献2記載のものにおいては、収容ケースの両端部を開口部となし，ケースを床面状に平置して，そのケース内をネズミが通り抜けられるように見せかけているものであるが、このケース内は平板状ではなく，一側端部側を係合させて開口部側より山形状に傾斜させた一対の踏み板を支持軸を支点として揺動可能に配設しており、この踏み板上にネズミが乗りその重量により踏み板が揺動回転した際に開口部がその直ぐ近傍に付設されている開閉扉により閉塞されてネズミが捕獲されるという構造となっているので、やはりネズミの警戒心を充分に解くことは困難であり、捕獲率に優れないという難点を有していた。
【発明の開示】
【発明が解決しようとする課題】
【０００６】
本発明は、斯かる実情に鑑みなされたもので、ネズミの警戒心を和らげ学習能力の働きを可及的に抑えるように，餌の配置場所したがってそれを置くネズミの通路と，収容ケースの入り口開口部を閉塞する側面板を供え同ケース内へ出入自在となるスライドベースの動作構造に格別な工夫を施すことによって、前記従来技術の諸難点を解消し、簡潔な構造で捕獲効率を向上せしめるとともに取り扱いが容易で使用上好適であるオープンスライド式ネズミ捕り器を提供することを目的とする。
【課題を解決するための手段】
【０００７】
本発明は上記の目的を達成するために、特許請求の範囲に記載した以下の種々の手段を採っている。
【０００８】
即ち，先ず請求項１においては、入り口側幅方向一側端面を開口部とする直方体形状の収容ケースと、この収容ケース内にその底面板との間に少間隙を配し長方形状の板体部が案内レールに摺動可能に係合して出入自在に配設され，板体部の後方側幅方向に沿った一側端面に前記収容ケース内に収納されたときにその幅方向一側端面の開口部を閉塞する側面板を有し，その側面板と反対側先方の板体部の幅方向に沿った他側端面と長さ方向に沿った両側面部を開放面となして板体部の上面を床面と通ずるネズミの自由通路となしたＬ字型形状のスライドベースとを具備しており、収容ケースとスライドベースとの間に、一端部を収容ケース側に他端部をスライドベース側に固定して弾性力によりスライドベースを収容ケース内に収納せしめるスプリング装置を配設する一方，ピン結合した一対のリンクの各自由端部を一方は収容ケース側に他方はスライドベース側に枢着しスライドベースの外部への引き出し時に一直線状に水平方向に伸長してスプリング装置の弾性力によるスライドベースの収容ケース内への収納動作を阻止するトグル装置を配設せしめ、且つ，スライドベースの板体部に形成した長方形状の開孔部下面の位置で板体部の裏側に先端部寄りに回動支点を有する梃子片からなるトグル装置の解除機構を回動可能に配設して，梃子片の回動時にその先端部側に取り付けた前記トグル装置における他方のリンクの枢着部を押し上げ一対のリンクの一直線状伸長姿勢を崩しトグル装置を解除せしめるようになしたことを特徴とする。
収容ケース内からＬ型スライドベースを引き出した状態で，この器具を壁際に面した床面上に平置してセットする。  スライドベースは長さ方向に沿った両側面が開放空間となっており、床面より僅か上方に位置していて平坦状でありほぼ床面と面一となっているとともに、スライドベースの板体部に形成されている長方形状開孔部はその下面に配置されている梃子片によりその回動支点をスライドベースの板体部上に位置させることで閉塞されてその開口状態が消去された状態となっているので、ネズミは平素床面上を通過しているのと同様の通路の感覚で警戒心を抱くことなくスライドベースの板体部の上を横切って行く。この板体部の上の適宜箇所に餌を置いておき、この餌に誘われてネズミが板体部の上を歩き開孔部下面に配置されている梃子片上に乗ると、その重量で梃子片が回動し、その先端部がトグル装置の一方のリンクを押し上げてその一直線状伸長姿勢が崩れトグル装置の動作が解除されるので、瞬時のうちにスプリング装置の弾性力が働きスライドベースは収容ケース内に強制収納されて収容ケースの入り口側開口部はスライドベースの側面板に閉塞され、ネズミは収容ケース内に閉じ込められて捕獲される。
【０００９】
請求項2においては、更にスライドベースの板体部の収容ケース側先端部寄り上面に，幅方向に沿って収容ケース内方向への視界を遮る遮蔽板を配設したことを特徴とする。  この遮蔽板の配設によって、収容ケース内の奥の方にスライドベースとの間に配置されているスプリング装置とその阻止機構であるトグル装置の配設状況が外部から見えない状態となるので、ネズミの警戒心を一層和らげるものとなる。
【００１０】
請求項３においては、更に収容ケースの入り口側開口部の両側縁部に，スライドベースの収容ケース内への収納時にスライドベースの板体部に形成した側面板の両側縁部との間に生ずるおそれのある隙間を閉塞するとともに，先端縁を鋸刃状に先鋭となして捕獲収容されたネズミの脱出を防止する脱出防止片を配設したことを特徴とする。  この先端部を鋸刃状先鋭部となした脱出防止片の存在により、スライドベースが収容ケース内に強制収納されたときに，万一スライドベースの側面板と収容ケースの入り口開口部の側縁部との間に少間隙が空く場合があったとしても、その間隙が塞がれ、ネズミが無理に脱出しようとしても鋸刃状の先鋭部が身体を刺し刺激するので、その脱出が不能となる。
【００１１】
請求項4においては、更に収容ケースの上側部に上蓋を着脱又は開閉可能に取り付けたことを特徴とする。  これにより器具内の保守点検等が容易となり、その他使用上の取り扱いが便利となる。
【発明の効果】
【００１２】
本発明は上記の構成となしたので、上述の従来技術の抱える諸難点を解消し、以下の特有の効果を奏する。
【００１３】
請求項１に係る発明においては、器具を収容ケース内からスライドベースを外部へ引き出した状態で壁際に沿って床面上に配置したときに、スライドベースの板体部の高さは床面より僅かに上方に位置するだけで、その僅かな寸法の空隙部はスライドベースの板体部の長さ方向に沿った側面部の下面に収容ケースの底面板に接して摺動するスカート部を垂下させることで閉塞される状態となるためスライドベースはほぼ床面と面一の高さで平置された平坦な状態に置かれていることになり、そして対向するスライドベースの長さ方向に沿った両側面部は開放面となっていてその間を床面に続いて直線状に自由に通過可能であり、またスライドベースの板体部には長方形状の開孔部が形成されているが，この開孔部はその下面の位置に相当する板体部の裏面側に梃子片が回動自在に配設されておりその先端寄りに設けた回動支点を板体部の上方側の位置に設定することによりこの梃子片によって閉塞されて外部よりその開孔状態が看取できないような状況となっているので、通過しようとするスライドベースの板体上にはネズミに警戒心を起こさせる突起物，傾斜板，開孔部等危険な罠を思わせるような何らの障害物もなくオープンで平坦形状となっている。
従って上記の従来技術の場合と異なり、スライドベースの板体上は、ネズミが何らの警戒心を抱くことなく平素壁際に沿った床面上を通過しているのと同様の感覚で自由に通過する床面に続く平坦なオープン通路の一部となっており、ネズミが板体上に置かれた餌に誘われてスライドベースの板体上を歩き開孔部を塞ぐ状態でその直下に配されている梃子片上に少しでも乗った場合にはその重量による梃子片の回動によりトグル装置の阻止動作が解除されてスプリング装置が働き瞬時のうちにスライドベースが収容ケース内に強制収容されてネズミが収容ケース内に閉じ込められ捕獲される。  よって従来と異なり、ネズミの捕獲効率が極めて良好であるとともに、簡潔な構造で製造並びに取り扱い上においても容易で好適である。
【００１４】
請求項２に係る発明においては、スライドベース板体部の収容ケース側先端部寄り上面に、幅方向に沿って収容ケース内奥方向への視界を遮る遮蔽板が配設されているので、これによって、収容ケース内の奥の方にスライドベースとの間に配置されているスプリング装置とその阻止機構であるトグル装置の配設状況が確実に外部から見えない状態となるので、スライドベース板体部上面の平坦構造に加えてネズミの警戒心を一層和らげることができる。
【００１５】
請求項３に係る発明においては、収容ケースの入り口側両側縁部に，先端縁を鋸刃状に先鋭となした脱出防止片が配設されているので、これによって、スライドベースの収容ケース内への強制収納時に万一収容ケースの入り口側開口部とスライドベースの側面板との間に僅かな隙間が生ずるようなことがあったとしても、脱出防止片にてその隙間は塞がれ、ネズミが無理やり脱出しようともがくとその先端縁の先鋭部が刺さって痛感覚を伴うことと相俟ってその脱出が不能となり、捕獲効率を一層高めることができる。
【００１６】
請求項４に係る発明においては、収容ケースの上側部に上蓋を着脱又は開閉可能に取り付けたので、これにより器具内の保守点検等が容易となり、その他使用上の取り扱いも容易となり好適である。
【発明を実施するための最良の形態】
【００１７】
一側端部側を入り口開口部となした直方体形状の収容ケースと，この収容ケースの底面板との間に少間隙を配し長方形状の板体部が案内レールに摺動可能に係合して収容ケース内に出入自在に配設され，板体部の収容ケースと反対側後方の幅方向に沿った一側端部に収容ケースの入り口開口部を閉塞する側面板を有し長さ方向に沿った両側面部を開放面となしたＬ字型スライドベースとを具備しており、収容ケースとその内部に収納されるスライドベースとの間において、弾性力によりスライドベースを収容ケース内に収納せしめるスプリング装置とこの弾性力による収納動作を阻止せしめる一対のリンクからなるトグル装置を配設する一方、スライドベースの板体部に設けた開孔部の下面の位置で板体部裏面側に先端部寄りに配した回動支点を中心として回動して一対のリンクの一方を押し上げトグル装置の動作を解除せしめる梃子片を配設して器具を形成することにより、スライドベース板体部の上面をネズミが平素通過するのと同様な床面にほぼ面一に続く自然な状態の平坦なオープン通路の一部となすことができ、もってネズミに違和感や警戒心を与えることなく危険を察知する学習能力の働きを可及的に抑えることができ、その結果捕獲効率に優れるとともに構造も簡潔で取り扱いも容易であるネズミ捕り器の提供を実現することができる。
【００１８】
スライドベースは、収容ケース内に底面板より少間隙上方の位置に両内側面に沿って配設されている案内レール下面に板体部が係合して摺動可能とするべく，板体部の長さ方向両側縁部下方に向かって収容ケース底面板と案内レールとの間の少間隙相当長の高さを有する脚片部が突出形成されている。  そのため、収容ケースより後方外部に向かってスライドベースを一杯に引き出し，板体部の側面板を壁面に隣接する状態で器具を床面上に置いたとき、スライドベース板体部上面は床面より僅か上方の高さに位置する状態となり、その板体部と床面との間に配される僅かな空間部は、板体部の長さ方向両側縁部に配される脚片部によって殆ど塞がれた状態となっている。  そして、このスライドベース板体部の対向する長さ方向両即縁部の上方空間は開放されていて床面に続いて板体部上面を自由に通過可能となっている。  従って、床面上に置かれたスライドベースの板体部上面はほぼ床面と面一の高さで床面に連続する平坦面となっていて、その上に何ら通行を妨げる障害物も存在しないので、自然な状態で自由に通行が可能なオープン通路の一部となっている。そのためネズミは何らの違和感や警戒心を抱くことなく、平素壁際に沿った床面上を歩き回るのと同様の感覚で、スライドベース板体上を自由に歩き回り通過する状態となる。
【００１９】
収容ケースとその中に出入されるスライドベースとの間には、スライドベースを弾性力により強制収納させるためのスプリング装置と，そのスプリング装置の付勢を阻止するためのトグル装置が配設されており、そしてスライドベースには、そのトグル装置の動作を解除するための解除機構が設けられている。
スプリング装置としては、例えば、一端部を収容ケースの奥壁側に，他端部をスライドベースの収容ケース寄り先端部側に夫々固定した引張スプリングを用いる。  トグル装置としては、一対のリンクをピンにより回動可能に結合したリンク機構を用い、その一方のリンクの自由端部は収容ケースの奥壁側に，他方のリンクの自由端部はスライドベース側に配設の後記トグル装置解除装置としての梃子片先端部側に夫々ピンと軸受けにより枢着して配設する。
スライドベース板体部中央には、収容ケース寄りの先端部側から後方部側に向かい長さ方向に沿って適宜長さ適宜幅の長方形状切欠開孔部が形成されており、この切欠開孔部の下面の位置で板体部裏面側に、前記トグル装置の動作解除用の梃子片を回動可能に配設する。  その回動支点は梃子片の収容ケース寄り先端部側に設定されており、この回動支点を中心として梃子片は、板体部裏面側で垂直縦方向に回動する。この回動支点が設けられている梃子片の先端部側の部分は、スライドベース板体部に形成された切欠開孔部の幅寸法より小幅に形成されていて該部分は切欠開孔部内に遊嵌された状態で回動が可能であるが、該部分より後方側の部分は切欠開孔部の幅寸法より広幅に形成されているので、トグル装置が伸長されて反時計方向に回動したときには梃子片の後方側の部分は板体部裏面に当接して切欠開孔部をその下面側から覆い閉塞する状態となる。そして斯かる状態は、回動支点を板体部の裏面側下方でなく板体部の表面側上方の位置に設けたことによって実現されている。即ちこの回動支点は、板体部の上方面に切欠開孔部を跨ぐ状態で掛け渡され両端部を板体部上面に固定した軸ピンとその外周面に回動可能に嵌合し梃子片の先端部側に固定したスリーブパイプとにより形成されている。
そしてこの梃子片の先端部側上面おいて、トグル装置における一対のリンクのうち他方のリンクの自由端部がピンと軸受けを介して枢着されている。
【００２０】
スライドベース板体部の収容ケース寄り先端部上面に、板体部の切欠開孔部を跨ぎ幅方向に沿って、収容ケース内奥方向への視界を遮断する遮蔽板を配設する。この遮蔽板の切欠開孔部を跨ぐ部分には、梃子片の回動に支障がないように切欠孔が形成されている。  前記スプリング装置の一端部は、この遮蔽板に固定する。スプリング装置と作動状態にあるトグル装置のリンク機構は、スライドベース板体部とほぼ平行して水平状態に配列されているので、元来スライドベースの後方側からはあまり目視することができないものであるが、この遮蔽板の配設により、スプリング装置とトグル装置の存在は確実に視界から遮断される。
【００２１】
収容ケースの入り口側開口部の両側縁部に、先端縁を先鋭になした鋸刃状の脱出防止片を取り付けており、スライドベースの収納時に万一その側面板と収容ケースの入り口側開口部との間に隙間が生じたとしても、鋸刃状の脱出防止片がその隙間を塞ぎその先鋭部が身体に刺さることによりネズミの脱出防止を図るようになしている。
【００２２】
収容ケースの上側部に、上蓋を着脱可能若しくは開閉可能に取り付けており、器具内の保守点検やその他取り扱い上の便宜を図っている。
【００２３】
スライドベースを収容ケース内より外部方向に向かって一杯に引き出すと、トグル装置のリンク機構が一直線状に水平方向に伸長してスプリング装置の弾性力によるスライドベースの収納動作が阻止され、スライドベースの引き出し状態が維持される。スライドベースの側面板を壁板に隣接する状態で壁際の床面上にこの器具をセットすると、スライドベースの板体部は床面より僅か上方の高さに平置された状態でその間の間隙は脚片部により塞がれているとともに，対向する板体部の長さ方向両側面は開放されているので、スライドベース板体部上面は壁面に沿った床面に続くほぼそれと面一の高さの平坦なオープン通路の一部を形成するものとなっている。そしてスライドベース板体部の切欠開孔部はその下面方向からの梃子片による閉塞によって開孔状態が看取されないものとなっているとともに、収容ケース内奥方に配置したスプリング装置とトグル装置の存在も遮蔽板を配置する等により確実に看取されない状態となっているので、ネズミは、何ら違和感や警戒心を抱くことなく、平素歩き回っていると同様の感覚でスライドベース板体部上を自由に通過する状態となる。
ネズミがスライドベース板体上を歩き回り又は通過して，切欠開孔部下面に位置する梃子片上に乗ると、その重量により梃子片が回動支点を中心として時計方向に回動してその先端部がトグル装置におけるリンク機構の他方のリンクの枢着部を押し上げ、これによってリンク機構の一直線状の伸長姿勢が崩れて屈折しトグル装置の阻止動作が解除され、スプリング装置が動作してスライドベースが収容ケース内に強制収容されてネズミが閉じ込められ捕獲される。
【実施例１】
【００２４】
別紙図面の図１〜図４を参照して，本発明の実施の一例に係るオープンスライド式ネズミ捕り器ついて説明する。
【００２５】
このネズミ捕り器は、一側端部側を入り口開口部２となした直方体形状の収容ケース１と，この収容ケース１の底面板３との間に少間隙を配し長方形状の板体部６が案内レール４に摺動可能に係合して収容ケース１内に出入自在に配設され，板体部6の収容ケース1と反対側後方の幅方向に沿った一側端部に収容ケースの入り口開口部2を閉塞する側面板７を有し長さ方向に沿った両側面部を開放面となしたＬ字型スライドベース５とを具備している。  側面板７には、把手２２が取り付けられている。
収容ケース１とその内部に収納されるスライドベース５との間において、弾性力によりスライドベース５を収容ケース１内に収納せしめるスプリング装置１０とこの弾性力による収納動作を阻止せしめる一対のリンク１２，１２´からなるトグル装置１１を配設する一方、スライドベース５の板体部６に設けた開孔部８の下面の位置で板体部６裏面側に先端部寄りに配した回動支転１６を中心として回動して一対のリンク１２，１２´の他方を押し上げトグル装置１１の動作を解除せしめる解除機構としての梃子片１５を配設して器具を形成している。
これにより、スライドベース板体部６の上面をネズミが平素通過するのと同様な床面にほぼ面一に続く平坦で自然な状態のオープン通路の一部となすことができ、もってネズミに違和感や警戒心を与えることなく危険を察知する学習能力の働きを可及的に抑えることができ、その結果捕獲効率に優れるとともに構造簡潔で取り扱いも容易であるネズミ捕り器の提供を実現することができる。
【００２６】
スライドベース５は、収容ケース１内に底面板３より少間隙上方の位置に両内側面に沿って配設されている案内レール４下面に板体部６が係合して摺動可能とするべく，板体部６の長さ方向両側縁部下方に向かって収容ケース１底面板３と案内レールとの間の少間隙相当長の高さを有する脚片部９が突出形成されている。  そのため、収容ケース１より後方外部に向かってスライドベース５を一杯に引き出し，板体部６の側面板７を壁面に隣接する状態で器具を床面上に置いたとき、スライドベース５板体部６上面は床面より僅か上方の高さに位置する状態となり、その板体部６と床面との間に配される僅かな空間部は、板体部６の長さ方向両側縁部に配される脚片部９によって殆ど塞がれた状態となっている。  そして、このスライドベース板体部６の対向する長さ方向両即縁部の上方空間は開放されていて床面に続いて板体部６上面を自由に通過可能となっている。  従って、床面上に置かれたスライドベースの板体部６上面はほぼ床面と面一の高さで床面に連続する平坦面となっていて、その上に何ら通行を妨げる障害物も存在しないので、自然な状態で自由に通行が可能なオープン通路の一部となっている。そのためネズミは何らの違和感や警戒心を抱くことなく、平素壁際に沿った床面上を歩き回るのと同様の感覚で、スライドベース板体部６上を自由に歩き回り通過する状態となる。
【００２７】
収容ケース１とその中に出入されるスライドベース５との間には、スライドベース５を弾性力により強制収納させるためのスプリング装置１０と，そのスプリング装置の付勢を阻止するためのトグル装置１１が配設されており、そしてスライドベース５には、そのトグル装置１１の動作を解除するための解除機構としての梃子片１５が設けられている。
スプリング装置１０としては、例えば、一端部を収容ケース１の奥壁側に，他端部をスライドベース５の収容ケース１寄り先端部側に夫々固定した引張スプリングを用いる。  トグル装置１１としては、一対のリンク１２，１２´をピン１３により回動可能に結合したリンク機構を用い、その一方のリンク１２の自由端部は収容ケース１の奥壁側に，他方のリンク１２´の自由端部はスライドベース５側に配設の後記トグル装置１１解除機構としての梃子片１５先端部側に夫々ピン１４，１４´と軸受けにより枢着して配設する。
スライドベース板体部６中央には、収容ケース１寄りの先端部側から後方部側に向かい長さ方向に沿って適宜長さ適宜幅の長方形状切欠開孔部８が形成されており、この切欠開孔部８の下面の位置で板体部６裏面側に、前記トグル装置１１の動作解除用の梃子片１５を回動可能に配設する。  その回動支点１６は梃子片１５の収容ケース１寄り先端部側に設定されており、この回動支点１６を中心として梃子片１５は、板体部６裏面側で垂直縦方向に回動する。この回動支点１６が設けられている梃子片１５の先端部側の部分は、スライドベース板体部６に形成された切欠開孔部８の幅寸法より小幅に形成されていて該部分は切欠開孔部８内に遊嵌された状態で回動が可能であるが、該部分より後方側の部分は切欠開孔部８の幅寸法より広幅に形成されているので、トグル装置１１が一直線状に伸長されて反時計方向に回動したときには梃子片１５の後方側の部分は板体部６裏面に当接して切欠開孔部８をその下面側から覆い閉塞する状態となる。そして斯かる状態は、回動支点１６を板体部６の裏面側下方でなく板体部６の表面側上方の位置に設けたことによって実現されている。即ちこの回動支点１６は、板体部の上方面に切欠開孔部８を跨ぐ状態で掛け渡され両端部を板体部６上面に固定した軸ピン１７とその外周面に回動可能に嵌合するとともに梃子片１５の先端部側に固定したスリーブパイプ１８とにより形成されている。
そしてこの梃子片１５の先端部側上面おいて、トグル装置１１における一対のリンクのうち他方のリンク１２´の自由端部がピン１４´と軸受けを介して枢着されている。
【００２８】
スライドベース板体部６の収容ケース１寄り先端部上面に、板体部６の切欠開孔部８を跨ぎ幅方向に沿って、収容ケース１内奥方向への視界を遮断する遮蔽板１９を配設する。この遮蔽板１９の切欠開孔部８を跨ぐ部分には、梃子片１５の回動に支障がないように切欠孔が形成されている。  前記スプリング装置１０の一端部は、この遮蔽板１９に固定する。スプリング装置１０と作動状態にあるトグル装置１１のリンク機構１２，１２´は、元来スライドベース板体部６とほぼ平行して水平状態に配列されているので、スライドベース５の後方側からはあまり目視することができないものであるが、この遮蔽板１９の配設により、スプリング装置１０とトグル装置１１の存在は確実に視界から遮断される。
図中２０は、この遮蔽板１９のスライドベース５側背面に取り付けられた餌入れかごである。
【００２９】
収容ケース１の入り口側開口部２の両側縁部に、先端縁を先鋭になした鋸刃状の脱出防止片２１を取り付けており、スライドベース５の収納時に万一その側面板７と収容ケース１の入り口側開口部２との間に隙間が生じたとしても、鋸刃状の脱出防止片２１がその隙間を塞ぎその先鋭部が身体に刺さることによりネズミの脱出防止を図るようになしている。
【００３０】
図視を省いているが、収容ケース１の上側部に、上蓋を着脱可能若しくは開閉可能に取り付けており、器具内の保守点検やその他取り扱い上の便宜を図っている。
【００３１】
把手２２を把持してスライドベース５を収容ケース１内より後方外部方向に向かって一杯に引き出すと、トグル装置１１のリンク機構１２，１２´が水平方向に一直線状に伸長してスプリング装置１０の弾性力によるスライドベース５の収納動作が阻止され、スライドベース５の引き出し状態が維持される（図1，図3参照）。スライドベースの側面板７を壁板に隣接する状態で壁際の床面上にこの器具をセットすると、スライドベースの板体部６は床面より僅か上方の高さに平置された状態でその間の間隙は脚片部９により塞がれているとともに，板体部６の対向する長さ方向両側面は開放されているので、スライドベース板体部６上面は壁面に沿った床面に続くほぼそれと面一の高さの平坦なオープン通路の一部を形成するものとなっている。そしてスライドベース板体部６の切欠開孔部８はその下面方向からの梃子片１５による閉塞によって外部から開孔状態が看取されないものとなっているとともに、収容ケース１内奥方に水平方向に配置したスプリング装置１０とトグル装置１１の存在も遮蔽板１９を配置する等により外部から看取されない状態となっているので、ネズミは、何ら違和感や警戒心を抱くことなく、平素歩き回っていると同様の感覚でこのスライドベース板体部６上を自由に通過する状態となる。
ネズミがスライドベース板体部６上を歩き回り又は通過して，切欠開孔部８下面に位置する梃子片１５上に乗ると、その重量により梃子片１５が回動支点１６を中心として時計方向に回動してその先端部がトグル装置１１におけるリンク機構１２，１２´の他方のリンク１２´の枢着部１４´を押し上げ、これによってリンク機構１２，１２´の一直線状の伸長姿勢が崩れて屈折しトグル装置１１の阻止動作が解除され、スプリング装置１０が動作してスライドベース５が収容ケース１内に強制収容されてネズミが閉じ込められ捕獲される（図２参照）。
【図面の簡単な説明】
【００３２】
【図１】本発明の一実施例に係るネズミ捕り器の上蓋を外した状態における，床面にセットしたとき（スライドベース引き出し時）の縦断正面図である。
【図２】同上のネズミ捕り器におけるスライドベースの収容ケース内への収納動作時の縦断正面図である。
【図３】図１のネズミ捕り器の平面図である。
【図４】図3のＡ−Ａ断面図である。
【符号の説明】
【００３３】
１            収容ケース
２            入り口開口部
３            底面板
４            案内レール
５            Ｌ字型スライドベース
６            長方形板体部
７            側面板
８            長方形切欠開孔部
９            脚片部
１０            スプリング装置
１１            トグル装置
１２，１２´    リンク機構
１３            結合ピン
１４，１４´    枢着ピン
１５            梃子片
１６            回動支点
１７            軸ピン
１８            スリーブパイプ
１９            遮蔽板
２０            餌入れかご
２１            鋸刃状脱出防止片
２２            把手
【図１】
0004627093.tif 000002
【図２】
0004627093.tif 000003
【図３】
0004627093.tif 000004
【図４】
0004627093.tif 000005